(57)【要約】【課題】  マイコンを用いた発光ダイオード駆動制御回路を実現する。【解決手段】  多数直列接続された発光ダイオード１…を駆動するチョッパ電源やスイッチング電源などの直流電源２と、前記発光ダイオード１…に流れる電流を検出する直列抵抗などによる検出手段３と、この検出手段３に基づいて得られた電圧（または電流）と参照電圧Ｖ（または参照電流）とを誤差増幅器などの比較手段４で比較することにより前記直流電源２を制御して、前記発光ダイオード１…に流そうとする電流を略安定に制御する。そして、前記参照電圧Ｖ（または参照電流）は、マイコン５で得られたデジタル制御信号をＤ／Ａ変換手段６によりアナログ電圧Ｖ（またはアナログ電流）に変換して得られるものである。また、マイコン５にはリモコン信号受信部７からの指令信号が入力され、この指令信号に基づいて前記デジタル制御信号が生成される。【選択図】  図１
2007036167.tif 000002
【特許請求の範囲】
【請求項１】
発光ダイオードを駆動する直流電源と、前記発光ダイオードに流れる電流を検出する検出手段と、この検出手段に基づいて得られた電圧（または電流）と参照電圧（または参照電流）とを比較手段で比較することにより前記直流電源を制御して、前記発光ダイオードに流そうとする電流を略安定に制御する発光ダイオード駆動制御回路であって、前記参照電圧（または参照電流）は、マイコンで得られたデジタル制御信号をＤ／Ａ変換手段によりアナログ電圧（またはアナログ電流）に変換して得られるものである発光ダイオード駆動制御回路。
【請求項２】
発光ダイオードを駆動する直流電源と、前記発光ダイオードに流れる電流を検出する検出手段と、この検出手段に基づいて得られた電圧（または電流）をＡ／Ｄ変換するＡ／Ｄ変換手段と、このＡ／Ｄ変換手段の出力信号が入力されて参照デジタル信号と比較することにより前記直流電源を制御して前記発光ダイオードに流そうとする電流を略安定に制御するマイコンとを備えた発光ダイオード駆動制御回路。
【請求項３】
請求項１または２において、マイコンにはリモコン信号受信部からの指令信号が入力され、この指令信号に基づいてデジタル制御信号（または参照デジタル信号）が生成される発光ダイオード駆動制御回路。
【発明の詳細な説明】
【技術分野】
【０００１】  本発明は、マイコンを用いて発光ダイオードを駆動制御可能にした回路に関する。
【背景技術】
【０００２】  特許文献１には、発光ダイオードを駆動するチョッパ回路（スイッチング回路）による直流電源と、前記発光ダイオードに流れる電流を検出するための直列抵抗による検出手段と、この検出手段に基づいて得られた電圧と参照電圧（基準電位源）とを比較手段（誤差増幅器）で比較することにより前記直流電源を制御して、前記発光ダイオードに流そうとする電流を略安定に制御する発光ダイオード駆動制御回路が開示されている。また、参照電圧（基準電位源）を可変とすれば、外部から調光制御を行うことができると記載されている。
【特許文献１】  特開２００１−３１３４２３号公報
【発明の開示】
【発明が解決しようとする課題】
【０００３】  しかし、参照電圧（基準電位源）を可変とするための具体的手段は開示されていない。前記特許文献１に限らず、発光ダイオードを家庭などの一般居室で使用される照明器具に適用しようとする場合の配慮が成されていない。具体的にはマイコンを用いる場合の具体的構成が実現されていない。本発明はこのような解決すべき課題を鑑み、マイコンを用いた発光ダイオード駆動制御回路を実現しようとするものである。
【課題を解決するための手段】
【０００４】  第一発明を要約すると、発光ダイオードを駆動する直流電源と、前記発光ダイオードに流れる電流を検出する検出手段と、この検出手段に基づいて得られた電圧（または電流）と参照電圧（または参照電流）とを比較手段で比較することにより前記直流電源を制御して、前記発光ダイオードに流そうとする電流を略安定に制御する発光ダイオード駆動制御回路であって、前記参照電圧（または参照電流）は、マイコンで得られたデジタル制御信号をＤ／Ａ変換手段によりアナログ電圧（またはアナログ電流）に変換して得られるものである発光ダイオード駆動制御回路である。第二発明を要約すると、発光ダイオードを駆動する直流電源と、前記発光ダイオードに流れる電流を検出する検出手段と、この検出手段に基づいて得られた電圧（または電流）をＡ／Ｄ変換するＡ／Ｄ変換手段と、このＡ／Ｄ変換手段の出力信号が入力されて参照デジタル信号と比較することにより前記直流電源を制御して前記発光ダイオードに流そうとする電流を略安定に制御するマイコンとを備えた発光ダイオード駆動制御回路である。そして、いずれの発明の場合でも、マイコンにはリモコン信号受信部からの指令信号が入力され、この指令信号に基づいてデジタル制御信号（または参照デジタル信号）が生成されるとより好ましい。
【発明の効果】
【０００５】  第一発明によれば、参照電圧（または参照電流）は、マイコンで得られたデジタル制御信号をＤ／Ａ変換手段によりアナログ電圧（またはアナログ電流）に変換して得られるため、マイコンを用いた発光ダイオード駆動制御回路を実現できた。第二発明によれば、発光ダイオードに流れる電流を検出する検出手段に基づいて得られた電圧（または電流）をＡ／Ｄ変換手段を介してマイコンに入力することにより、Ａ／Ｄ変換手段の出力信号と参照デジタル信号とをマイコンにて比較できることになり、マイコンを用いた発光ダイオード駆動制御回路を実現できた。これらの発明により家庭などの一般居室で使用される照明器具に適合できる。殊に、リモコン制御による照明器具に好ましい回路構成となる。
【発明を実施するための最良の形態】
【０００６】  次に、本発明の実施形態を説明するが、それはあくまで本発明に基づいて採択された例示的な実施形態であり、本発明をその実施形態に特有な事項に基づいて限定解釈してはならず、本発明の技術的範囲は、特許請求の範囲の請求項に示した事項さらにはその事項と実質的に等価である事項に基づいて定めなければならない。【０００７】  図１に示す第一実施形態は、多数直列接続された発光ダイオード１…を駆動するチョッパ電源やスイッチング電源などの直流電源２と、前記発光ダイオード１…に流れる電流を検出する直列抵抗などによる検出手段３と、この検出手段３に基づいて得られた電圧（または電流）と参照電圧Ｖ（または参照電流）とを誤差増幅器などの比較手段４で比較することにより前記直流電源２を制御して、前記発光ダイオード１…に流そうとする電流を略安定に制御する発光ダイオード駆動制御回路である。そして、前記参照電圧Ｖ（または参照電流）は、マイコン５で得られたデジタル制御信号をＤ／Ａ変換手段６によりアナログ電圧Ｖ（またはアナログ電流）に変換して得られるものである。【０００８】  図示例では、発光ダイオード１…に流れる電流を直列抵抗による検出手段３で電圧に置換しているが、このような抵抗を用いずに例えば、発光ダイオード１…の電流が流れる電線の周囲に電流検出コイルを装着してもよい。このような検出手段によれば、電流が直接的に検出され、この電流を電流入力型の比較手段にて参照電流と比較するとよい。そして、Ｄ／Ａ変換手段６の出力もアナログ電流出力型として、参照電流が出力されるとよい。前段落の括弧内の記述は例えばこのような具体例を指す。【０００９】  マイコン５は通常、ＣＰＵ，ＲＯＭ，ＲＡＭおよび周辺回路などを備えている。また、停電時のデータ保持のためにＥＥＰＲＯＭやフラッシュメモリなどの不揮発性メモリを備えると好ましい。Ｄ／Ａ変換手段６の特性例は図１（Ｂ）に示され、マイコン５で得られたデジタル制御信号（８ｂｉｔ）に対応して参照電圧Ｖが定められているものであり、Ｄ／Ａ変換テーブルと称しても同義である。もちろん、マイコン５自体にこのようなＤ／Ａ変換手段６を持たせてもよい。【００１０】  本実施形態によれば、参照電圧Ｖ（または参照電流）は、マイコン５で得られたデジタル制御信号をＤ／Ａ変換手段６によりアナログ電圧Ｖ（またはアナログ電流）に変換して得られるため、マイコン５を用いた発光ダイオード駆動制御回路を実現できた。こうして家庭などの一般居室で使用される照明器具に適合できるものとなる。殊に、図外のリモコン送信器から送信されるリモコン信号を受信するリモコン信号受信部７を備えた照明器具に好ましい回路構成となった。すなわち、マイコン５にはリモコン信号受信部７からの指令信号が入力され、この指令信号に基づいて前記デジタル制御信号が生成される。【００１１】  また、図１（Ｂ）の特性のようなＤ／Ａ変換手段６によれば、発光ダイオード１…の電流を、許容最大値から、夜間に常夜灯として機能すればよい最小値付近、さらにはもちろん消灯するゼロ値まで、段階的または実質連続的に設定できる。そして、マイコン５にリモコン信号受信部７からの指令信号が入力されることにより、図外のリモコン送信器によって容易に発光ダイオード１…の明〜暗の遠隔制御を行えるようになり、一般居室用として好ましい。【００１２】  さらに他の構成を補足説明すると、交流電源８をブリッジタイプの整流器９で整流してから、直流電源２に供給している。直流電源２はよく知られた昇圧型のチョッパ電源を例示しており、チョークコイル１０、ＭＯＳ−ＦＥＴなどの半導体スイッチング素子１１、ダイオード１２、平滑コンデンサ１３、半導体スイッチング素子１１を開閉制御するスイッチング制御回路部１４および前記比較手段４などを構成要素としている。【００１３】  次に、図２に示す第二実施形態は、発光ダイオード駆動制御回路にマイコン５を用いる点で第一実施形態と共通する技術的意義があり、かつ、解決課題が一致する回路構成を備えている。この第二実施形態は、多数直列接続された発光ダイオード１…を駆動するチョッパ電源やスイッチング電源などの直流電源２と、前記発光ダイオード１…に流れる電流を検出する直列抵抗などによる検出手段３と、この検出手段３に基づいて得られた電圧（または電流）をＡ／Ｄ変換するＡ／Ｄ変換手段１５と、このＡ／Ｄ変換手段１５の出力信号が入力されて参照デジタル信号と比較することにより前記直流電源２を制御して前記発光ダイオード１…に流そうとする電流を略安定に制御するマイコン５とを備えた発光ダイオード駆動制御回路である。また、マイコン５にリモコン信号受信部７からの指令信号が入力されると、この指令信号に基づいて前記参照デジタル信号が生成される。【００１４】  検出手段３は発光ダイオード１…に流れる電流を直列抵抗で電圧に置換している図示例の他に、前述した電流検出コイルで電流を直接的に検出してもよい。従って、Ａ／Ｄ変換手段１５は電圧入力型の他に、電流入力型でもよい。もちろん、マイコン５自体にこのようなＡ／Ｄ変換手段１５を一体化してもよく、特許請求の範囲の請求項２はこのような場合も含むものである。【００１５】  第二実施形態によれば、発光ダイオード１…に流れる電流を検出する検出手段３に基づいて得られた電圧（または電流）をＡ／Ｄ変換手段１５を介してマイコン５に入力することにより、Ａ／Ｄ変換手段１５の出力信号と参照デジタル信号とをマイコン５にて比較できることになり、マイコン５を用いた発光ダイオード駆動制御回路を実現できたものである。また、Ａ／Ｄ変換手段１５の出力信号および前記参照デジタル信号は例えば８ｂｉｔとして、発光ダイオード１…の電流を、許容最大値から、夜間に常夜灯として機能すればよい最小値付近、さらにはもちろん消灯するゼロ値まで、段階的または実質連続的に設定できるようにすると好ましい。
【図面の簡単な説明】
【００１６】
【図１】  （Ａ）本発明の第一実施形態を示す回路ブロック図、（Ｂ）同Ｄ／Ａ変換手段の入出力関係を示すグラフ図
【図２】  本発明の第二実施形態を示す回路ブロック図
【符号の説明】
【００１７】  １  発光ダイオード
２  直流電源
３  検出手段
４  比較手段
５  マイコン
６  Ｄ／Ａ変換手段
７  リモコン信号受信部
１５  Ａ／Ｄ変換手段
【図１】
2007036167.tif 000003
【図２】
2007036167.tif 000004